(57)【要約】      （修正有）【課題】ユーザの意図に沿った画像処理を行うことができる画像処理装置等を提供する。【解決手段】画像形成装置に搭載される画像処理装置４３０において、画像データの特徴量を抽出する特徴量抽出部３２と、特徴量から原稿種別を判定する原稿種別判定部３３と、ユーザが画像処理パラメータを設定するパラメータ設定部３４と、ユーザの設定の履歴を記憶する履歴記憶部３５２と、原稿種別とユーザの設定に基づいて画像処理を行う画像処理部３１と、を備える。原稿種別判定部３３によりユーザの設定の履歴に基づいて、原稿種別の判定処理の判定基準を変更する。【選択図】図１４
2019125832.tif 000002
【特許請求の範囲】
【請求項１】
画像処理装置において、
画像データの特徴量を抽出する特徴量抽出部と、
前記特徴量から原稿種別を判定する原稿種別判定部と、
ユーザが画像処理パラメータを設定するパラメータ設定部と、
ユーザの設定の履歴を記憶する履歴記憶部と、
前記原稿種別と前記ユーザの設定に基づいて画像処理を行う画像処理部と、
を備え、
前記原稿種別判定部は、前記ユーザの設定の履歴に基づいて、原稿種別の判定処理の判定基準を変更することを特徴とする画像処理装置。
【請求項２】
前記ユーザの設定は、前記画像データの明度を変更することを特徴とする請求項１に記載の画像処理装置。
【請求項３】
画像処理装置において、
画像処理パラメータを記憶するパラメータ記憶部と、
記憶した画像処理パラメータを表示するパラメータ表示部と、
ユーザが画像処理パラメータを設定するパラメータ設定部と、
ユーザの設定の履歴を記憶する履歴記憶部と、
前記ユーザの設定に基づいて画像処理を行う画像処理部と、
を備え、
前記パラメータ表示部は、前記ユーザの設定の履歴に基づいて、前記画像処理パラメータを切り換えて表示することを特徴とする画像処理装置。
【請求項４】
前記画像処理パラメータの切り換えは、表示する目盛を増減させることを特徴とする請求項３に記載の画像処理装置。
【請求項５】
前記画像処理パラメータの切り換えは、表示する目盛の一目盛に相当する変化量を変更することを特徴とする請求項４に記載の画像処理装置。
【請求項６】
画像処理装置において、
画像データの特徴量を抽出する特徴量抽出部と、
前記特徴量から原稿種別を判定する原稿種別判定部と、
画像処理パラメータを記憶するパラメータ記憶部と、
記憶した画像処理パラメータを表示するパラメータ表示部と、
ユーザが画像処理パラメータを設定するパラメータ設定部と、
ユーザの設定の履歴を記憶する履歴記憶部と、
前記原稿種別と前記ユーザの設定に基づいて画像処理を行う画像処理部と、
を備え、
前記原稿種別判定部は、前記ユーザの設定の履歴に基づいて、原稿種別の判定処理の判定基準を変更し、
前記パラメータ表示部は、画像処理パラメータを切り替えて表示することを特徴とする画像処理装置。
【請求項７】
画像処理装置において画像処理を行なう画像処理方法であって、
画像データの特徴量を抽出する工程と、
前記特徴量から原稿種別を判定する工程と、
ユーザによる画像処理パラメータを設定する工程と、
ユーザの設定の履歴を記憶する工程と、
前記原稿種別と前記ユーザの設定に基づいて画像処理を行う工程と、
を備え、
前記ユーザの設定の履歴に基づいて、原稿種別の判定処理の判定基準を変更することを特徴とする画像処理方法。
【請求項８】
画像処理装置において画像処理を行なう画像処理方法であって、
画像処理パラメータを記憶する工程と、
記憶した画像処理パラメータを表示する工程と、
ユーザが画像処理パラメータを設定する工程と、
ユーザの設定の履歴を記憶する工程と、
前記ユーザの設定に基づいて画像処理を行う工程と、
を備え、
前記ユーザの設定の履歴に基づいて、前記画像処理パラメータを切り換えて表示することを特徴とする画像処理方法。
【請求項９】
画像処理装置において画像処理を行なう画像処理方法であって、
画像データの特徴量を抽出する工程と、
前記特徴量から原稿種別を判定する工程と、
画像処理パラメータを記憶する工程と、
記憶した画像処理パラメータを表示する工程と、
ユーザが画像処理パラメータを設定する工程と、
ユーザの設定の履歴を記憶する工程と、
前記原稿種別と前記ユーザの設定に基づいて画像処理を行う工程と、
を備え、
前記ユーザの設定の履歴に基づいて、原稿種別の判定処理の判定基準を変更し、画像処理パラメータを切り替えて表示することを特徴とする画像処理方法。
【請求項１０】
画像処理装置を動作させるプログラムであって、
コンピュータにより、
画像データの特徴量を抽出する機能と、
前記特徴量から原稿種別を判定する機能と、
ユーザによる画像処理パラメータを設定する機能と、
ユーザの設定の履歴を記憶する機能と、
前記原稿種別と前記ユーザの設定に基づいて画像処理を行う機能と、
を実行させて、前記ユーザの設定の履歴に基づいて、原稿種別の判定処理の判定基準を変更することを特徴とするプログラム。
【請求項１１】
画像処理装置を動作させるプログラムであって、
コンピュータにより、
画像処理パラメータを記憶する機能と、
記憶した画像処理パラメータを表示する機能と、
ユーザが画像処理パラメータを設定する機能と、
ユーザの設定の履歴を記憶する機能と、
前記ユーザの設定に基づいて画像処理を行う機能と、
を実行させて、前記ユーザの設定の履歴に基づいて、前記画像処理パラメータを切り換えて表示することを特徴とするプログラム。
【請求項１２】
画像処理装置を動作させるプログラムであって、
コンピュータにより、
画像データの特徴量を抽出する機能と、
前記特徴量から原稿種別を判定する機能と、
画像処理パラメータを記憶する機能と、
記憶した画像処理パラメータを表示する機能と、
ユーザが画像処理パラメータを設定する機能と、
ユーザの設定の履歴を記憶する機能と、
前記原稿種別と前記ユーザの設定に基づいて画像処理を行う機能と、
を実行させて、前記ユーザの設定の履歴に基づいて、原稿種別の判定処理の判定基準を変更し、画像処理パラメータを切り替えて表示することを特徴とするプログラム。
【発明の詳細な説明】
【技術分野】
【０００１】
本発明は、画像処理装置等に係り、特に、入力された画像データに基づき原稿の種類に応じて画像処理を行なう画像処理装置等に関する。
【背景技術】
【０００２】
従来、デジタル複合機などの画像処理装置では、各ユーザが使用用途や好みに応じて印刷条件を設定して印刷を行なうことが可能になっている。また、画像処理装置の機能として、原稿の種別に応じて印刷設定を変更して印刷を行なうようにしたものも知られている。
【０００３】
このようなデジタル複合機には、原稿の種別(種類)を自動的に判定する原稿判定機能が搭載されているが、現状では、印刷原稿とプリント原稿（プリンタ等の画像形成装置から出力されたもの）をどちらも網点である場合には、区別することが困難であった。
【０００４】
また、印刷原稿とプリント原稿を処理する場合に、同一の画像処理パラメータでは適切な処理が行えない場合がある。例えば、印刷原稿とプリント原稿とでは、スキャナ（画像読み取り装置）による読み取りの特性が異なり、印刷原稿を目標とした色変換ではプリント原稿の明度や彩度が一致せずに、色合いが異なる色再現となる場合がある。
【０００５】
そこで、従来技術として、例えば、原稿がカラー原稿かモノクロ原稿かを自動判定する機能を有する画像読取装置において、原稿の判定結果やユーザの設定の履歴情報から判定基準を更新して、自動判定機能による判定結果を切り換えるようしたものが開示されている（特許文献１を参照。）。
【０００６】
また、その他の技術として、画像処理機能を有する画像処理装置において、ユーザの設定の履歴情報からデフォルト値を更新し、画面の表示を切り換えるようにしたものが開示されている（特許文献２を参照。）。
【先行技術文献】
【特許文献】
【０００７】
【特許文献１】特開２００８−２７１１６６号公報
【特許文献２】特開２０１１−１６６７８１号公報
【発明の概要】
【発明が解決しようとする課題】
【０００８】
しかしながら、上述した特許文献１の技術では、原稿がカラー原稿又はモノクロ原稿のいずれであるのかを判定する自動カラー選択機能（ＡＣＳ機能）しか考慮していないため、それ以外の色再現などのスキャンの読み取り特性に応じた画像処理には対応されてはいないため、原稿に応じたユーザの意図に沿った画像処理を行なうことができなかった。
【０００９】
また、ユーザが印刷を行なう際に、画像調整で設定可能な範囲の最大値または最小値（あるいは、その付近の値）を選択することが多い場合には、設定可能な範囲を超える値を設定しようとしている可能性がある。そのため、特許文献２のように、ユーザに対して表示するデフォルト値を変更するだけでは、ユーザの設定を適切に反映させられない場合がある。例えば、ユーザが想定している範囲を超える設定変更を行いたい場合には、デフォルト値を変更するだけでは対応できないという問題があり、ユーザの意図に沿った画像処理を行なうことができなかった。
【００１０】
本発明は、上記従来の課題に鑑みてなされたものであり、ユーザの意図に沿った画像処理を行うことができる画像処理装置等を提供することを目的とする。
【課題を解決するための手段】
【００１１】
本発明は、画像処理装置において、画像データの特徴量を抽出する特徴量抽出部と、前記特徴量から原稿種別を判定する原稿種別判定部と、ユーザが画像処理パラメータを設定するパラメータ設定部と、ユーザの設定の履歴を記憶する履歴記憶部と、前記原稿種別と前記ユーザの設定に基づいて画像処理を行う画像処理部と、を備え、前記原稿種別判定部により、前記ユーザの設定の履歴に基づいて、原稿種別の判定処理の判定基準を変更することを特徴とするものである。
【００１２】
また、本発明は、画像処理装置において、画像処理パラメータを記憶するパラメータ記憶部と、記憶した画像処理パラメータを表示するパラメータ表示部と、ユーザが画像処理パラメータを設定するパラメータ設定部と、ユーザの設定の履歴を記憶する履歴記憶部と、前記ユーザの設定に基づいて画像処理を行う画像処理部と、を備え、前記パラメータ表示部により、前記ユーザの設定の履歴に基づいて、前記画像処理パラメータを切り換えて表示することを特徴とするものである。
【００１３】
また、本発明は、画像処理装置において、画像データの特徴量を抽出する特徴量抽出部と、前記特徴量から原稿種別を判定する原稿種別判定部と、画像処理パラメータを記憶するパラメータ記憶部と、記憶した画像処理パラメータを表示するパラメータ表示部と、ユーザが画像処理パラメータを設定するパラメータ設定部と、ユーザの設定の履歴を記憶する履歴記憶部と、前記原稿種別と前記ユーザの設定に基づいて画像処理を行う画像処理部と、を備え、前記原稿種別判定部により、前記ユーザの設定の履歴に基づいて、原稿種別の判定処理の判定基準を変更し、前記パラメータ表示部により、画像処理パラメータを切り替えて表示することを特徴とするものである。
【００１４】
また、本発明は、画像処理装置において画像処理を行なう画像処理方法であって、画像データの特徴量を抽出する工程と、前記特徴量から原稿種別を判定する工程と、ユーザによる画像処理パラメータを設定する工程と、ユーザの設定の履歴を記憶する工程と、前記原稿種別と前記ユーザの設定に基づいて画像処理を行う工程と、を備え、前記ユーザの設定の履歴に基づいて、原稿種別の判定処理の判定基準を変更することを特徴とするものである。
【００１５】
また、本発明は、画像処理装置において画像処理を行なう画像処理方法であって、画像処理パラメータを記憶する工程と、記憶した画像処理パラメータを表示する工程と、ユーザが画像処理パラメータを設定する工程と、ユーザの設定の履歴を記憶する工程と、前記ユーザの設定に基づいて画像処理を行う工程と、を備え、前記ユーザの設定の履歴に基づいて、前記画像処理パラメータを切り換えて表示することを特徴とするものである。
【００１６】
また、本発明は、画像処理装置において画像処理を行なう画像処理方法であって、画像データの特徴量を抽出する工程と、前記特徴量から原稿種別を判定する工程と、画像処理パラメータを記憶する工程と、記憶した画像処理パラメータを表示する工程と、ユーザが画像処理パラメータを設定する工程と、ユーザの設定の履歴を記憶する工程と、前記原稿種別と前記ユーザの設定に基づいて画像処理を行う工程と、を備え、前記ユーザの設定の履歴に基づいて、原稿種別の判定処理の判定基準を変更するとともに、画像処理パラメータを切り替えて表示することを特徴とするものである。
【００１７】
また、本発明は、画像処理装置を動作させるプログラムであって、コンピュータにより、画像データの特徴量を抽出する機能と、前記特徴量から原稿種別を判定する機能と、ユーザによる画像処理パラメータを設定する機能と、ユーザの設定の履歴を記憶する機能と、前記原稿種別と前記ユーザの設定に基づいて画像処理を行う機能と、を実行させて、前記ユーザの設定の履歴に基づいて、原稿種別の判定処理の判定基準を変更することを特徴とするものである。
【００１８】
また、本発明は、画像処理装置を動作させるプログラムであって、コンピュータにより、画像処理パラメータを記憶する機能と、記憶した画像処理パラメータを表示する機能と、ユーザが画像処理パラメータを設定する機能と、ユーザの設定の履歴を記憶する機能と、前記ユーザの設定に基づいて画像処理を行う機能と、を実行させて、前記ユーザの設定の履歴に基づいて、前記画像処理パラメータを切り換えて表示することを特徴とするものである。
【００１９】
また、本発明は、画像処理装置を動作させるプログラムであって、コンピュータにより、画像データの特徴量を抽出する機能と、前記特徴量から原稿種別を判定する機能と、画像処理パラメータを記憶する機能と、記憶した画像処理パラメータを表示する機能と、ユーザが画像処理パラメータを設定する機能と、ユーザの設定の履歴を記憶する機能と、前記原稿種別と前記ユーザの設定に基づいて画像処理を行う機能と、を実行させて、前記ユーザの設定の履歴に基づいて、原稿種別の判定処理の判定基準を変更するとともに、画像処理パラメータを切り替えて表示することを特徴とするものである。
【発明の効果】
【００２０】
本発明の画像処理装置によれば、画像データの特徴量を抽出する特徴量抽出部と、前記特徴量から原稿種別を判定する原稿種別判定部と、ユーザが画像処理パラメータを設定するパラメータ設定部と、ユーザの設定の履歴を記憶する履歴記憶部と、前記原稿種別と前記ユーザの設定に基づいて画像処理を行う画像処理部と、を備え、前記原稿種別判定部により、前記ユーザの設定の履歴に基づいて、原稿種別の判定処理の判定基準を変更することで、ユーザの意図に沿った画像処理を行うことができる画像処理装置を実現できる。
【００２１】
また、本発明の画像処理装置によれば、画像処理パラメータを記憶するパラメータ記憶部と、記憶した画像処理パラメータを表示するパラメータ表示部と、ユーザが画像処理パラメータを設定するパラメータ設定部と、ユーザの設定の履歴を記憶する履歴記憶部と、前記ユーザの設定に基づいて画像処理を行う画像処理部と、を備え、前記パラメータ表示部により、前記ユーザの設定の履歴に基づいて、前記画像処理パラメータを切り換えて表示することで、ユーザの意図に沿った画像処理を行うことができる画像処理装置を実現できる。
【００２２】
また、本発明の画像処理装置によれば、画像データの特徴量を抽出する特徴量抽出部と、前記特徴量から原稿種別を判定する原稿種別判定部と、画像処理パラメータを記憶するパラメータ記憶部と、記憶した画像処理パラメータを表示するパラメータ表示部と、ユーザが画像処理パラメータを設定するパラメータ設定部と、ユーザの設定の履歴を記憶する履歴記憶部と、前記原稿種別と前記ユーザの設定に基づいて画像処理を行う画像処理部と、を備え、前記原稿種別判定部により、前記ユーザの設定の履歴に基づいて、原稿種別の判定処理の判定基準を変更し、前記パラメータ表示部により、画像処理パラメータを切り替えて表示することで、ユーザの意図に沿った画像処理を行うことができる画像処理装置を実現できる。
【００２３】
また、本発明の画像処理方法によれば、画像データの特徴量を抽出する工程と、前記特徴量から原稿種別を判定する工程と、ユーザによる画像処理パラメータを設定する工程と、ユーザの設定の履歴を記憶する工程と、前記原稿種別と前記ユーザの設定に基づいて画像処理を行う工程と、を備え、前記ユーザの設定の履歴に基づいて、原稿種別の判定処理の判定基準を変更することで、ユーザの意図に沿った画像処理を行うことができる。
【００２４】
また、本発明の画像処理方法によれば、画像処理パラメータを記憶する工程と、記憶した画像処理パラメータを表示する工程と、ユーザが画像処理パラメータを設定する工程と、ユーザの設定の履歴を記憶する工程と、前記ユーザの設定に基づいて画像処理を行う工程と、を備え、前記ユーザの設定の履歴に基づいて、前記画像処理パラメータを切り換えて表示することで、ユーザの意図に沿った画像処理を行うことができる。
【００２５】
また、本発明の画像処理方法によれば、画像データの特徴量を抽出する工程と、前記特徴量から原稿種別を判定する工程と、画像処理パラメータを記憶する工程と、記憶した画像処理パラメータを表示する工程と、ユーザが画像処理パラメータを設定する工程と、ユーザの設定の履歴を記憶する工程と、前記原稿種別と前記ユーザの設定に基づいて画像処理を行う工程と、を備え、前記ユーザの設定の履歴に基づいて、原稿種別の判定処理の判定基準を変更するとともに、画像処理パラメータを切り替えて表示することで、ユーザの意図に沿った画像処理を行うことができる。
【００２６】
また、本発明のプログラムによれば、画像処理装置において、コンピュータにより、画像データの特徴量を抽出する機能と、前記特徴量から原稿種別を判定する機能と、ユーザによる画像処理パラメータを設定する機能と、ユーザの設定の履歴を記憶する機能と、前記原稿種別と前記ユーザの設定に基づいて画像処理を行う機能と、を実行させて、前記ユーザの設定の履歴に基づいて、原稿種別の判定処理の判定基準を変更することで、ユーザの意図に沿った画像処理を行うことができる。
【００２７】
また、本発明のプログラムによれば、画像処理装置において、コンピュータにより、画像処理パラメータを記憶する機能と、記憶した画像処理パラメータを表示する機能と、ユーザが画像処理パラメータを設定する機能と、ユーザの設定の履歴を記憶する機能と、前記ユーザの設定に基づいて画像処理を行う機能と、を実行させて、前記ユーザの設定の履歴に基づいて、前記画像処理パラメータを切り換えて表示することで、ユーザの意図に沿った画像処理を行うことができる。
【００２８】
また、本発明のプログラムによれば、画像処理装置において、コンピュータにより、画像データの特徴量を抽出する機能と、前記特徴量から原稿種別を判定する機能と、画像処理パラメータを記憶する機能と、記憶した画像処理パラメータを表示する機能と、ユーザが画像処理パラメータを設定する機能と、ユーザの設定の履歴を記憶する機能と、前記原稿種別と前記ユーザの設定に基づいて画像処理を行う機能と、を実行させて、前記ユーザの設定の履歴に基づいて、原稿種別の判定処理の判定基準を変更するとともに、画像処理パラメータを切り替えて表示することでユーザの意図に沿った画像処理を行うことができる。
【図面の簡単な説明】
【００２９】
【図１】第１実施形態に係る画像処理装置が搭載される画像形成装置の概略構成を示すブロック図である。
【図２】前記画像処理装置の特徴的な構成を示すブロック図である。
【図３】前記画像処理装置の基本構成を示すブロック図である。
【図４】前記画像処理装置において原稿種別判定部により原稿種別を変更する一例を示す説明図である。
【図５】前記画像処理装置においてユーザによる画像調整の履歴に基づいて原稿種別を判定する処理工程を示すフローチャートである。
【図６】図５に続くフローチャートである。
【図７】第２実施形態に係る画像処理装置の特徴的な構成を示すブロック図である。
【図８】（ａ）から（ｄ）は前記画像処理装置において画像調整のパラメータの設定画面を変更する一例を示す説明図である。
【図９】前記画像処理装置においてパラメータ設定範囲を変更する処理工程を示すフローチャートである。
【図１０】図９に続くフローチャートである。
【図１１】（ａ）から（ｄ）は第３実施形態に係る画像処理装置において画像調整のパラメータの設定画面を変更する一例を示す説明図である。
【図１２】前記画像処理装置においてパラメータ設定範囲を変更する処理工程を示すフローチャートである。
【図１３】図１２に続くフローチャートである。
【図１４】第４実施形態に係る画像処理装置の特徴的な構成を示すブロック図である。
【図１５】（ａ）から（ｄ）は前記画像処理装置においてユーザの設定変更の履歴に基づき画像調整のパラメータの設定画面を変更する一例を示す説明図である。
【図１６】前記画像処理装置においてユーザによる画像調整の履歴に基づいて原稿種別を判定して、パラメータ設定範囲を変更する処理工程を示すフローチャートである。
【図１７】図１６に続くフローチャートである。
【図１８】図１６，図１７に続くフローチャートである。
【発明を実施するための形態】
【００３０】
（第１実施形態）
以下、本発明の実施形態について図面を参照して説明する。
図１は発明を実施する形態の一例であって、本発明の第１実施形態に係る画像処理装置が搭載される画像形成装置の概略構成を示すブロック図、図２は前記画像処理装置の特徴的な構成を示すブロック図、図３は前記画像処理装置の基本構成を示すブロック図、図４は前記画像処理装置において原稿種別判定部により原稿種別を変更する一例を示す説明図である。
【００３１】
（画像形成装置の構成）
第１実施形態に係る画像形成装置１は、コピー機能を実行するコピアモード（複写モード）を備えたデジタルカラー複合機であって、図１に示すように、主に、入力操作を行なう操作パネル１０、画像入力装置２０、画像処理装置３０、画像出力装置４０、記憶装置５０、ソフトウェア処理部６０、送受信を行なう通信部７０、当該画像形成装置１に通信可能に接続されるデータ入力端末８０および制御部９０を有して構成されている。
【００３２】
ここで、コピアモードとは、画像データを読み込み（スキャナ等で原稿を読み取って画像データを生成し）、この画像データの画像を用紙に印刷するモードである。また、コピアモードが選択されている場合、ユーザは、モノクロ画像を出力するモノクロモード、フルカラーの画像を出力するフルカラーモードのいずれかを選択できるようになっている。
【００３３】
操作パネル１０は、表示部１１を備え、表示部１１に表示された操作画面によりユーザが入力操作を行なうようにされている。表示部１１において、処理モードの選択や各種設定が可能とされている。
【００３４】
画像入力装置２０は、コピアモードにおいて、原稿を読み取り画像データを生成する画像読取手段である。具体的には、画像入力装置２０は、ＣＣＤ（Charge Coupled Device）を備えたスキャナ部を有し、原稿から反射してきた光をＲＧＢに色分解された電気信号（アナログの画像信号）に変換し、この電気信号を画像処理装置３０に入力するものである。
【００３５】
なお、画像入力装置２０は、フルカラーモード、モノクロモードのいずれのモードが選択されている場合であっても、フルカラーにて原稿画像の読み取りを行う。
【００３６】
画像処理装置３０は、コピアモードにおいて、画像入力装置２０から送られてきた画像データに画像処理を行うようになっている。そして、コピアモードにおいて、画像処理を施した画像データを画像出力装置４０に送信するようになっている。
【００３７】
画像出力装置（例えば、プリンタ）４０は、画像処理装置３０から送られてきた画像データの画像を記録媒体（例えば紙、記録用紙等）上に印刷（画像を形成）するものであり、例えば、電子写真方式を用いたカラープリンタを挙げることができる。
【００３８】
記憶装置５０は、画像処理装置３０にて扱われる画像データを一旦保存するためのハードディスクあるいはソリッドステートドライブ（ＳＳＤ）、フラッシュメモリなどの記憶媒体を備えたデータ記憶装置である。
【００３９】
ソフトウェア処理部６０は、記憶装置５０に記憶された各種ソフトウェアを実行する。
通信部７０は、外部機器との通信接続を行なう。例えば、データ入力端末８０と通信接続されてデータ入力を可能としている。
【００４０】
制御部９０は、ＣＰＵ（Central Processing Unit）あるいはＤＳＰ（Digital Signal Processor）等のプロセッサを含むコンピュータであり、画像形成装置１に備えられる各種ハードウェアを統括的に制御するものである。また、制御部９０は、画像形成装置１に備えられる各ハードウェア間のデータ転送を制御する機能を有する。
【００４１】
そして、第１実施形態に係る画像形成装置１は、特徴的な画像処理装置３０を備えることで、ユーザの意図に沿った画像処理を実現するようにしたことを特徴とするものである。
【００４２】
（画像処理装置の特徴的な構成）
画像処理装置３０は、図２に示すように、主に、画像処理部３１、特徴量抽出部３２、原稿種別判定部３３、パラメータ設定部３４、記憶部３５および制御部３９を備えることを特徴としている。
【００４３】
画像処理部３１は、原稿種別とユーザの設定に基づいて画像処理を行う。
特徴量抽出部３２は、画像データの特徴量を抽出する。
原稿種別判定部３３は、原稿の特徴量から原稿種別を判定する。
パラメータ設定部３４は、ユーザが画像処理パラメータを設定する。
記憶部３５には、画像処理装置３０の各部における処理を制御する制御プログラム３５１を記憶する領域やユーザの設定の履歴を記憶する履歴記憶部３５２が設けられている。
【００４４】
（画像処理装置の基本構成）
ここで、第１実施形態に係る画像処理装置３０の基本構成について説明する。
画像処理装置３０は、画像データ（画像信号）に対して画像処理を施す集積回路であり、ＡＳＩＣ（Application specific integrated circuit）から構成されるものである。
【００４５】
画像処理装置３０は、図３に示すように、主に、Ａ/Ｄ（アナログ/デジタル）変換部３０ａ、シェーディング補正部３０ｂ、入力処理部３０ｃ、自動原稿種別判別部３０ｄ、領域分離処理部３０ｅ、領域分離信号圧縮部３０ｆ、圧縮部３０ｇ、領域分離信号復号部３０ｈ、復号部３０ｉ、画像調整部３０ｊ、色補正部３０ｋ、黒生成／下色除去部３０ｍ、空間フィルタ部３０ｎ、変倍部３０ｐ、出力階調補正部３０ｑ、中間調生成部３０ｒの各ブロックを有して構成されている。
【００４６】
Ａ／Ｄ（アナログ・デジタル）変換部３０ａは、画像入力装置２０から送られてきたカラー画像信号（ＲＧＢアナログ信号）をデジタルの画像データ（ＲＧＢデジタル信号）に変換するブロックである。
【００４７】
シェーディング補正部３０ｂは、Ａ／Ｄ変換部３０ａから送られてきた画像データに対して、画像入力装置２０の照明系、結像系、撮像系で生じる各種の歪みを取り除く処理を施すブロックである。
【００４８】
入力処理部３０ｃは、シェーディング補正部３０ｂより送られてくるＲＧＢの画像データのそれぞれに対してγ補正処理などの階調変換処理を施すブロックである。
【００４９】
自動原稿種別判別部３０ｄは、入力処理部３０ｃにてγ補正等の処理がなされたＲＧＢの画像データ（ＲＧＢの濃度信号）に基づき、画像入力装置２０にて読み取られた原稿の種別の判定を行う。ここで、判定される原稿の種別としては、文字原稿、印刷写真原稿、文字と印刷写真とが混在した文字印刷写真原稿等がある。
【００５０】
また、自動原稿種別判別部３０ｄは、上記画像データに基づき、読み取られた原稿がカラー原稿であるか白黒原稿であるのかの判別を行う処理である自動カラー判別処理（ＡＣＳ：Auto Color Selection）やブランク原稿であるか否か（無地の原稿であるか否か）の判定処理も行うことができる。判定された結果は、原稿種別信号として記憶装置に送信・保存される。
【００５１】
領域分離処理部３０ｅは、ＲＧＢの画像データに基づき、入力画像の画素毎に、当該画素がどのような画像領域に分類されるのかを判別し、この判別結果を示す領域分離信号を生成する処理を行う。
【００５２】
ここで、領域分離処理部において判別される画像領域には、黒文字領域，色文字領域，網点領域等がある。なお、領域分離処理は、画素毎に画像領域の判定を行う形態ではなく、複数の画素よりなるブロック毎に画像領域の判定が行われる形態であってもよい。
【００５３】
領域分離信号圧縮部３０ｆは、画素毎に生成された領域分離信号に対して圧縮処理を施すブロックである。なお、領域分離信号圧縮部３０ｆにおける圧縮処理は、例えば、可逆圧縮方法であるＭＭＲ（Modified Modified Reed）方式、ＭＲ（Modified Reed）方式に基づいて行われる。
【００５４】
制御部９０は、圧縮部３０ｇから出力された符号化コード（符号化された画像データ）と領域分離信号圧縮部３０ｆから出力された領域分離信号コード（圧縮された領域分離信号）とを一旦記憶装置５０に保存し、ファイリングデータとして管理する。そして、制御部９０は、コピー出力動作が指示された場合、記憶装置５０から上記の符号化コードおよび当該符号化コードに対応する領域分離信号コードを読み出し、復号部３０ｉ、領域分離信号復号部３０ｈにそれぞれ引き渡す。また、保存されていた原稿種別信号に基づいて、後段の処理部に原稿種別に対応した画像処理パラメータを設定する。
【００５５】
なお、制御部９０は、上記符号化コードの保存アドレスまたはデータ名と、領域分離信号コードの保存アドレスとを対応付けて、管理テーブル（図示せず）に記入する。つまり、制御部９０は、当該管理テーブルを用いて、符号化コードおよび領域分離信号コードの読み出しまたは書き込みの制御を行っている。
【００５６】
復号部３０ｉは、上記符号化コードに対して復号化処理を施すことによって、上記符号化コードをＲＧＢの画像データに伸張する。また、領域分離信号復号部３０ｈは、上記領域分離信号コードに対して復号化処理を施す。
【００５７】
領域分離信号復号部３０ｈにより復号化した領域分離信号は、色補正部３０ｋ、黒生成／下色除去部３０ｍ、空間フィルタ部３０ｎ、中間調生成部３０ｒに引き渡される。
そして、黒生成／下色除去部３０ｍ、空間フィルタ部３０ｎ、中間調生成部３０ｒにおいては、画像領域の種類に応じて画像処理内容の切替えが行われる。
【００５８】
画像調整部３０ｊは、復号部３０ｉから送られてくるＲＧＢの画像データについて、下地の検出を行って下地除去補正を行う。さらに、画像調整部３０ｊは、ユーザによって操作パネルから入力される設定情報に基づいて、明るさ、鮮やかさ、ＲＧＢのバランス（カラー調整、赤み青みといった全体のカラー調整）の調整を行う。
【００５９】
色補正部３０ｋは、フルカラーモードが選択されている場合、ＲＧＢの画像データをＣＭＹの画像データに変換する色補正処理を行うと共に、当該画像データに対して色再現性を高める処理を施すブロックである。なお、上記の色補正処理は、入力値（ＲＧＢ）と出力値（ＣＭＹ）とを対応付けたＬＵＴ（ルックアップテーブル）を作成し、作成したＬＵＴから出力値をルックアップすることによって実現される。
【００６０】
黒生成／下色除去部３０ｍは、フルカラーモードが選択されている場合、色補正部３０ｋから出力されたＣＭＹの画像データから黒（Ｋ）の画像データを生成する黒生成を行う一方、元のＣＭＹの画像データから黒（Ｋ）の画像データを差し引いて新たなＣＭＹの画像データを生成する処理を行うブロックである。これにより、フルカラーモードが選択されている場合、図３に示すように、ＣＭＹの画像データは黒生成／下色除去部３０ｍによってＣＭＹＫの４色の画像データに変換される。
【００６１】
空間フィルタ部３０ｎは、黒生成／下色除去部３０ｍより出力されるＣＭＹＫまたはＣＭＹの画像データに対して、領域分離信号を基にデジタルフィルタによる空間フィルタ処理（強調処理、平滑化処理等）を行っている。つまり、空間フィルタ部３０ｎでは、領域分離信号に基づいて、画像領域毎に異なる画像処理が実行される。
【００６２】
変倍部３０ｐは、操作パネル１０を介してユーザによって入力される変倍コマンド（印刷画像の倍率を示した情報）に基づいて、画像の拡大や縮小処理を行うブロックである。
【００６３】
出力階調補正部３０ｑは、変倍部３０ｐから出力された画像データに対して、用紙等の記録媒体に出力するための出力γ補正処理を行うブロックである。
【００６４】
中間調生成部３０ｒは、誤差拡散法やディザ法を用いて、画像出力装置４０において画像を印刷するために必要な階調再現処理（中間調生成処理）を実行するものである。
そして、中間調生成部３０ｒから出力されるＣＭＹＫまたはＣＭＹの画像データは画像出力装置４０に引き渡され、画像出力装置４０は、当該画像データの画像を記録媒体（例えば紙等）上に印刷する。
【００６５】
（画像処理装置における色補正処理について）
ここで、画像処理装置３０における色補正処理について説明する。
通常行なわれる色補正処理は、電子写真方式の出力特性に応じた色補正テーブル（ＲＧＢ信号をＣＭＹ信号に変換するテーブル）を用い、黒生成下色除去を行う際のパラメータを変換する。
【００６６】
そして、下記式を用いて、ＣＭＹ信号をＣＭＹＫ信号に変換する。
【００６７】
【数１】
2019125832.tif 000003
【００６８】
数式の中の値α、βについては、実際に画像出力装置を用いて、様々な値で画像を出力し、適切な値を求めておく。電子写真方式では、領域分離信号により値を切り換える。
例えば、文字領域に対しては、例えば、α＝１、β＝１と設定し、黒生成量を増加させてＣＭＹの使用量を減らす処理を行う。これによりＣＭＹ量を減少させて色のにじみを低減し、黒文字をよりくっきりと再現する。
【００６９】
色補正部において、色補正テーブルを用いる代わりに、カラーマスキング法により色補正処理を行うようにしても良い。カラーマスキング法の場合、あるＣＭＹ信号を画像出力装置に与えた場合に出力される色のＬ＊ａ＊ｂ＊値（ＣＩＥ１９７６Ｌ＊ａ＊ｂ＊信号（ＣＩＥ: Commission International de l’Eclairage  ：国際照明委員会。Ｌ＊: 明度、ａ＊、ｂ＊: 色度））と同じＬ＊ａ＊ｂ＊をもつカラーパッチをスキャナが読み込んだときのＲＧＢデータと、画像出力装置に与えたＣＭＹデータの組を多数用意し、それらの組み合わせから数式３のａ１１からａ３３までの変換行列の係数を算出する。これらの係数を用いて色補正処理を行う。より精度を高めたい場合は、二次以上の高次の項を加えればよい。
【００７０】
【数２】
2019125832.tif 000004
【００７１】
（画像処理装置におけるについて）
次に、画像処理装置３０における原稿種別判別方法について説明する。
画像処理装置３０における原稿種別判別処理は、以下に示すように行なわれる。
【００７２】
（１）注目画素を含むｎ×ｍ（例えば、５×１５）のブロックにおける最小濃度値および、最大濃度値を算出する。
（２）算出された最小濃度値及び最大濃度値を用いて最大濃度差を算出する。
（３）隣接する画素の濃度差の絶対値の総和である総和濃度繁雑度（例えば、主走査方向と副走査方向について算出した値の和）を算出する。
（４）算出された最大濃度差と最大濃度差閾値との比較及び算出された総和濃度繁雑度と総和濃度繁雑度閾値との比較を行う。
最大濃度差＜最大濃度差閾値および総和濃度繁雑度＜総和濃度繁雑度閾値のとき、注目画素は下地・印画紙写真領域に属すると判定する。
上記条件を充たさないとき、注目画素は文字・網点領域に属すると判定する。
【００７３】
（５）下地・印画紙写真領域に属すると判定された画素について
注目画素が、最大濃度差＜下地・印画紙写真判定閾値を充たすとき、下地画素であると判定し、上記条件を充たさないとき、印画紙写真（連続階調領域）画素であると判定する。
【００７４】
（６）文字・網点領域に属すると判定された画素について
注目画素が、総和濃度繁雑度＜最大濃度差に文字・網点判定閾値を掛けた値の条件を充たすとき、文字画素であると判定し、上記条件を充たさないとき、網点画素であると判定する。
【００７５】
（７）下地領域、印画紙写真領域、文字領域および網点領域に分類された画素数をカウントし、それぞれのカウント値と予め定められている下地領域、印画紙写真領域、網点領域及び文字領域に対する閾値と比較して原稿全体の種別を判定する。
【００７６】
例えば、文字、網点、印画紙写真の順に検出精度が高いとすると、文字領域の比率が全画素数の３０％以上の場合には文字原稿、網点領域の比率が全画素数の２０％以上の場合には網点原稿（印刷写真原稿）、印画紙写真領域の比率が全画素数の１０％以上の場合には印画紙写真原稿であると判定する。
【００７７】
また、文字領域の比率と網点領域の比率とが、それぞれ閾値以上であるとき、文字／網点原稿（文字印刷写真原稿）であると判定する。
【００７８】
領域分離処理としては、上記（１）〜（６）の方法を用いることができる。
原稿種別の判別を行う場合、原稿の種別が判定できれば良いので、例えば、（１）画像データの解像度を低解像度化して行う、（２）各領域に判別を行う閾値として確実に判定できる閾値を用い、確実に領域分離されたデータを用いて行う。
【００７９】
（画像処理装置による画像処理）
次に、第１実施形態に係る画像処理装置３０において、入力された画像データに基づく画像処理の一例について図面を参照して説明する。
【００８０】
画像処理装置３０においては、画像データの基になる原稿の種別に応じて画像処理が行なわれる。具体的には、画像処理装置３０において、原稿画像に対して画像処理を行なう場合は、自動原稿種別判別部３０ｄにより判定結果が原稿画像に網点を含む画像であると判定された場合（または、ユーザにより網点を含む原稿モードが選択された場合）、原稿が印刷原稿であるかプリント原稿であるかが判定されて、原稿種別に応じた画像処理が行なわれる。
【００８１】
画像処理装置３０では、自動原稿種別判別部３０ｄで原稿の種別(種類)を自動的に判定する構成となっているが、印刷原稿とプリント原稿をどちらも網点であり、区別することが困難な場合がある。
【００８２】
印刷原稿とプリント原稿では、スキャナ部（画像読み取り装置）による読み取りの特性が異なり、印刷原稿を目標とした色変換ではプリント原稿の色合いが異なる（明度が異なる）色再現となる場合があるため、印刷とプリント原稿を処理する場合に同一の画像処理パラメータでは適切な処理が行えない場合がある。
【００８３】
そこで、画像入力装置２０のスキャナ部によりスキャンした画像から原稿種別の判定が困難な原稿の場合は、図４（ａ）に示すように、操作パネル１０の表示部１１に表示された画像調整用の設定画面１１ａ１において、ユーザが画像調整のデフォルト状態から、所望の画像となるように設定値を変更して画像処理を行なう。
【００８４】
ここでは、例えば、ユーザにより画像の明度が上がるように設定される。
画像調整の変更は、ユーザによる画像調整の設定変更の履歴として記憶部３５の履歴記憶部３５２に記憶される。そして、ユーザによる画像調整の設定変更の履歴（原稿種類、明度、設定の頻度など)に基づいて、原稿種別判定部３３により適切な原稿種別を判定して、画像処理部３１において判定された原稿種別に応じて最適な画像処理が実行される。
【００８５】
原稿種別判定部３３においては、図４（ｂ）に示すように、特徴量抽出部により画像データから抽出された網点画像の情報に基づいて、自動原稿種別判別部３０ｄにより原稿種別が判定され、例えば、自動原稿種別判別部３０ｄにおいて網点画像が多く含まれる画像（網点領域の画像）として印刷原稿であると判定されたとき、ユーザの画像調整の設定変更の履歴において、画像の明度を上げる／濃度を下げる処理を選択することが多い場合は、プリント原稿と判断される。これにより、原稿種別はプリント原稿に変更される。
【００８６】
一方、自動原稿種別判別部３０ｄにおいて網点領域の画像としてプリント原稿であると判定されたとき、ユーザの画像調整の設定変更の履歴において、ユーザが画像調整で画像の明度を下げる／濃度を上げる処理を選択する頻度が多い場合は、印刷原稿と判断される。これにより、原稿種別は印刷原稿に変更される。
【００８７】
このようにして、印刷原稿とプリント原稿とを判別することで、ユーザの設定変更の履歴に基づいてユーザに所望する色再現を提供できる。
【００８８】
（画像処理装置による原稿種別に応じた画像処理）
次に、第１実施形態に係る画像処理装置３０において、ユーザによる画像調整の履歴に基づいて原稿種別を判定する場合の処理についてフローチャートに沿って説明する。
図５，図６は第１実施形態に係る画像処理装置においてユーザによる画像調整の履歴に基づいて原稿種別を判定する処理工程を示すフローチャートである。
【００８９】
図５，図６に示すように、画像処理装置３０により読み取り原稿の画像処理が開始されると、ユーザが原稿モードを選択できる状態となる。ここで、ユーザは手動で印刷写真や印画紙写真などの原稿モードを選択することもできるし、特定の原稿モードを選択せず、自動原稿判別処理により自動的な選択処理に任せることもできる（ステップＳ１０１）。そして、ユーザにより画像調整の初期設定値から設定が変更されると（ステップＳ１０３）、画像調整の変更を行なった履歴が保存される（ステップＳ１０５）。
【００９０】
そして、原稿モードが選択されたか否かが判断される（ステップＳ１０７）。
ステップＳ１０７において、原稿モードが選択されたと判断された場合は、網点領域を印刷原稿と判断する状態かどうかが判断される（ステップＳ１１１）。
【００９１】
一方、ステップＳ１０７において、原稿モードが選択されていないと判断された場合は、自動原稿種別判定処理が実行されて（ステップＳ１０９）、ステップＳ１１１に進む。
【００９２】
ステップＳ１１１において、網点領域を印刷原稿と判断する状態である場合は、ステップＳ１１３に進み、保存された履歴において明度を上げる頻度が高いか否かが判断される。
【００９３】
ステップＳ１１３において、保存された履歴において明度を上げる頻度が高いと判断された場合は、網点領域をプリント原稿と判定する設定に変更されて（ステップＳ１１５）、ステップＳ１３１に進む。また、保存された履歴において明度を上げる頻度が高いと判断されなかった場合は、そのままステップＳ１３１に進む。
【００９４】
一方、ステップＳ１１１において、網点領域を印刷原稿と判定する状態ではないと判断された場合は、ステップＳ１１７に進み、保存された履歴において明度を下げる頻度が高いか否かが判断される。
【００９５】
ステップＳ１１７において、保存された履歴において明度を下げる頻度が高いと判断された場合は、網点領域を印刷原稿と判定する設定に変更されて（ステップＳ１１９）、ステップＳ１３１に進む。また、保存された履歴において明度を下げる頻度が高いと判断されなかった場合は、そのままステップＳ１３１に進む。
【００９６】
ステップＳ１３１では、原稿モードや原稿種別の設定に対応したパラメータが設定される。そして、原稿読み取りが実行され（ステップＳ１３３）、読み取られた原稿画像の画像処理が実行されて（ステップＳ１３５）、原稿種別に応じた最適な設定による画像が出力される（ステップＳ１３７）。このようにして原稿種別を応じた画像処理が実行される。
【００９７】
ここでは、ユーザが画像調整で画像の明度を上げる処理を選択することが多い場合は、網点と判定した画素はMFP出力原稿（プリント原稿）と判断するように判定処理の設定を変更するようにしている。一方、ユーザが画像調整で画像の明度を下げる処理を選択することが多い場合は、網点と判定した画素は印刷原稿と判断するように判定処理の設定を変更するようにしている。
【００９８】
ユーザの設定変更の履歴に基づく原稿種別の判定基準としては、例えば、画像調整の明度変更の直近１０回分のユーザ設定が３回以上明度を上げる（または、明度を下げる）であった場合に判定を切り換える。
【００９９】
後段の処理においては、原稿種別の判定結果に応じて、画像処理パラメータを切り換える。具体的には、原稿の種類に応じた特性により、図１の色補正部で使用する色補正用ＬＵＴを変更する。網点がプリント原稿と判定されている場合は、プリント原稿の読み取り特性に対応した色補正ＬＵＴを使用する。また、網点が印刷原稿と判定されている場合は、印刷原稿の読み取り特性に対応した色補正ＬＵＴを使用する。
【０１００】
以上のように構成したので、第１実施形態によれば、画像形成装置１を構成する画像処理装置３０として、画像処理部３１と、特徴量抽出部３２と、原稿種別判定部３３と、パラメータ設定部３４と、履歴記憶部３５２と、を備え、原稿種別判定部３３により、ユーザの設定の履歴に基づいて原稿種別の判定処理の判定基準を変更するようにしたので、ユーザの意図に沿った画像処理を行うことができるので、ユーザに所望する色再現を提供できる。
【０１０１】
（第２実施形態）
次に、第２実施形態について図面を参照して説明する。
なお、説明の便宜上、第１実施形態と同一の機能を有する構成には、同一の番号を付して説明を省略する。
【０１０２】
図７は第２実施形態に係る画像処理装置の特徴的な構成を示すブロック図、図８（ａ）から（ｄ）は前記画像処理装置において画像調整のパラメータの設定画面を変更する一例を示す説明図である。
【０１０３】
（画像処理装置の特徴的な構成）
第２実施形態に係る画像処理装置２３０は、図７に示すように、画像処理部３１と、パラメータ設定部３４と、記憶部３５と、制御部３９とを備え、さらに、パラメータ表示部３６を備えることを特徴としている。
【０１０４】
記憶部３５には、制御プログラム３５１、履歴記憶部３５２に加えて、パラメータ記憶部３５３が設けられている。
【０１０５】
パラメータ表示部３６は、ユーザにより画像処理パラメータが設定された履歴に基づいて、画像処理パラメータを切り換えて表示することを特徴とする。
【０１０６】
次に、第２実施形態に係る画像処理装置２３０において、入力された画像データに基づく画像処理の一例について図面を参照して説明する。
【０１０７】
画像処理装置２３０においては、画像データの基になる原稿の種別に応じて画像処理が行なわれる。具体的には、画像処理装置２３０において、原稿画像に対して画像処理を行なう場合は、自動原稿種別判別部３０ｄにおいて判定結果が原稿画像に網点を含む画像であると判定された場合、原稿が印刷原稿であるかプリント原稿であるかが判定されて、原稿種別に応じた画像処理が行なわれる。
【０１０８】
ユーザが画像を出力する際に、画像調整を行なうときは、図８（ａ）に示すように、操作パネル１０の表示部１１に表示された画像調整用の設定画面２１１ａ１において、画像調整のデフォルト状態から、所望の画像となるように設定値を変更して画像処理を行なう。
【０１０９】
ユーザが画像調整において設定可能な範囲の最大値（または最小値、または、その付近の値）を選択することが多い場合には、設定可能な範囲を超える値を設定しなければユーザの意図に沿った再現とならない可能性があるため、デフォルト値を変更するだけではユーザの意図を反映させることはできない。
【０１１０】
そこで、図８（ａ）に示すように、設定可能な範囲をユーザの設定の履歴に応じて変更することで、ユーザの意図を反映した処理を行うことが可能となる。
【０１１１】
ユーザの画像調整の設定変更の履歴において、設定範囲の最大値（または、最小値）を選択する頻度が多い場合、選択可能な設定の範囲を拡大する。具体的には、予めパラメータを表示する設定可能範囲を超えて、その外側の設定に対応するパラメータを設定可能に表示する。
【０１１２】
パラメータ設定部３４において、設定範囲の拡大が必要と判断した場合は、図８（ｂ）に示すように、初期値のパラメータ設定可能範囲（設定１〜５）を超えて、その外側の設定に対応するパラメータの設定６，７を設定画面２１１ａ１の設定領域に追加して、ユーザが選択できるようにする。ここでは、符号２１１ｂが、拡大した選択可能範囲となる。
【０１１３】
ここで、設定画面２１１ａ１において、パラメータ設定範囲とパラメータの割当てについて説明する。
第２実施形態では、初期値（デフォルト）のパラメータ設定範囲は、図８（ｃ）に示すように、パラメータ１〜９に対して設定１〜５として、設定１，２，３，４，５に対応させてパラメータ３，４，５，６，７としている。
【０１１４】
パラメータ設定範囲を拡大する場合は、図８（ｄ）に示すように、パラメータ１〜９に対して設定１〜７として、設定１，２，３，４，５，６，７に対応させてパラメータ３，４，５，６，７，８，９として、設定６，７まで拡大している。
【０１１５】
このようにして、初期値においてパラメータ設定が上限値の設定５までしか設定できなかったものが、パラメータ設定範囲を変更することで、さらに高い値の設定６，７まで設定することができる。
【０１１６】
（画像処理装置による原稿種別に応じた画像処理）
次に、第２実施形態に係る画像処理装置２３０において、ユーザによる画像調整の履歴に基づいてパラメータ設定範囲を変更する場合の処理についてフローチャートに沿って説明する。
図９，図１０は第２実施形態に係る画像処理装置においてパラメータ設定範囲を変更する処理工程を示すフローチャートである。
【０１１７】
図９，図１０に示すように、画像処理装置２３０により読み取り原稿の画像処理が開始されると、ユーザが原稿モードを選択できる状態となる。ここで、ユーザは手動で印刷写真や印画紙写真などの原稿モードを選択することもできるし、特定の原稿モードを選択せず、自動原稿判別処理により自動的な選択処理に任せることもできる（ステップＳ２０１）。そして、ユーザにより画像調整の初期設定値から設定が変更されると（ステップＳ２０３）、画像調整の変更を行なった履歴が保存される（ステップＳ２０５）。そして、パラメータの設定範囲の上限（下限）付近に設定される頻度が高いか否かが判断される（ステップＳ２０７）。
【０１１８】
ステップＳ２０７において、パラメータの設定範囲の上限（下限）付近に設定される頻度が高いと判断された場合は、ステップＳ２０９に進み、設定上限（下限）より外側にパラメータが残っているか否かが判断される。設定上限（下限）より外側にパラメータが残っていると判断された場合は、パラメータの設定範囲を拡大して（ステップＳ２１５）、ステップＳ２０３に戻る。一方、設定上限（下限）より外側にパラメータが残っていないと判断された場合は、ステップＳ２１１に進む。
【０１１９】
一方、  ステップＳ２０７において、パラメータの設定範囲の上限（下限）付近に設定される頻度が高いと判断されなかった場合は、ステップＳ２１１に進む。
【０１２０】
ステップＳ２１１では、原稿モードが選択されたか否かが判断される。
ステップＳ２１１において、原稿モードが選択されたと判断された場合は、ステップＳ２３１に進む。一方、ステップＳ２１１において、原稿モードが選択されていないと判断された場合は、自動原稿種別判別処理が実行されて（ステップＳ２１３）、ステップＳ２３１に進む。
【０１２１】
ステップＳ２３１では、原稿モードや原稿種別の設定に対応したパラメータが設定される。そして、原稿読み取りが実行され（ステップＳ２３３）、読み取られた原稿画像の画像処理が実行されて（ステップＳ２３５）、原稿種別に応じた最適な設定による画像が出力される（ステップＳ２３７）。このようにして原稿種別を応じた画像処理が実行される。
【０１２２】
このようにして、画像処理装置２３０において、ユーザが画像調整を行なう際に、設定上限（または、設定下限）に近い設定が選択される頻度が高いときには、パラメータが残っている場合は設定範囲を拡大し、拡大した設定項目にその外側のパラメータを割り当てるようにすることで、ユーザに所望する色再現を提供できる。
【０１２３】
以上のように構成したので、第２実施形態によれば、画像処理装置２３０として、画像処理部３１と、パラメータ設定部３４と、記憶部３５と、制御部３９とを備え、さらに、パラメータ表示部３６を備え、パラメータ表示部３６により、ユーザにより画像処理パラメータが設定された履歴に基づいて、画像処理パラメータを切り換えて表示するようにしたので、初期値のパラメータ設定範囲を超えてユーザの意図に沿った画像処理を行うことができるので、ユーザに所望する色再現を提供できる。
【０１２４】
（第３実施形態）
次に、第３実施形態について図面を参照して説明する。
なお、説明の便宜上、第２実施形態と同一の機能を有する構成には、同一の番号を付して説明を省略する。
【０１２５】
図１１（ａ）から（ｄ）は第３実施形態に係る画像処理装置において画像調整のパラメータの設定画面を変更する一例を示す説明図である。
【０１２６】
（画像処理装置の特徴的な構成）
第３実施形態は、画像処理装置の構成を第２実施形態と同様の構成を有するものであり、画像調整の設定変更の履歴に基づいて設定可能範囲を変更する場合に、第２実施形態と同様にパラメータ設定可能範囲を拡大するのではなく、画像調整の設定に割り当てるパラメータを変更することで、現状のパラメータの外側のパラメータを選択できるようにすることを特徴とするものである。
【０１２７】
第３実施形態では、図１１（ａ）に示すように、画像調整の設定変更の履歴において、設定範囲の最大値（または、最小値）を選択する頻度が多い場合、択可能な設定の範囲に対応したパラメータの割当を変更する。具体的には、あらかじめパラメータを表示する設定可能範囲だけでなく、その外側の設定に対応するパラメータも用意しておく。
【０１２８】
設定範囲の拡大が必要と判断した場合は、図１１（ｂ）のように現状の設定可能範囲の外側のパラメータに対応するように、画面に表示されている設定の選択項目とパラメータの対応関係を変更する。
【０１２９】
初期値のパラメーラ設定範囲では、図１１（ｃ）に示すように、設定４にパラメータ６、設定５にパラメータ７が割り当てられていた状態から、設定変更時には、図１１（ｄ）に示すように、設定４にパラメータ８、設定５にパラメータ９を割り当てるように変更している。このとき、元の選択項目５（パラメータ７）に近い、新しい割当の設定４（パラメータ８）に表示を変更する。
【０１３０】
このように構成することで、パラメータの切り換えは、表示する設定３から設定４への目盛の変化量をパラ−メータ５からパラメータ８に変更することで、上限付近に設定するときにはパラメータを大きく変化させて設定を行なうことが可能になる。
【０１３１】
（画像処理装置による原稿種別に応じた画像処理）
次に、第３実施形態に係る画像処理装置において、ユーザによる画像調整の履歴に基づいてパラメータ設定範囲を変更する場合の処理についてフローチャートに沿って説明する。
図１２，図１３は第３実施形態に係る画像処理装置においてパラメータ設定範囲を変更する処理工程を示すフローチャートである。
【０１３２】
図１２，図１３に示すように、画像処理装置により読み取り原稿の画像処理が開始されると、ユーザが原稿モードを選択できる状態となる。ここで、ユーザは手動で印刷写真や印画紙写真などの原稿モードを選択することもできるし、特定の原稿モードを選択せず、自動原稿判別処理により自動的な選択処理に任せることもできる（ステップＳ３０１）。そして、ユーザにより画像調整の初期設定値から設定が変更されると（ステップＳ３０３）、画像調整の変更を行なった履歴が保存される（ステップＳ３０５）。そして、パラメータの設定範囲の上限（下限）付近に設定される頻度が高いか否かが判断される（ステップＳ３０７）。
【０１３３】
ステップＳ３０７において、パラメータの設定範囲の上限（下限）付近に設定される頻度が高いと判断された場合は、ステップＳ３０９に進み、設定上限（下限）より外側にパラメータが残っているか否かが判断される。設定上限（下限）より外側にパラメータが残っていると判断された場合は、設定範囲とパラメータの割当ての関係を変更し（ステップＳ３１５）、パラメータ設定範囲を初期値の設定項目に割当てられていたパラメータに最も近いパラメータが割り当てられた項目に表示を変更する（ステップＳ３１７）。そして、ステップＳ３０３に戻る。
【０１３４】
一方、設定上限（下限）より外側にパラメータが残っていないと判断された場合は、ステップＳ３１１に進む。
【０１３５】
また、ステップＳ３０７において、パラメータの設定範囲の上限（下限）付近に設定される頻度が高いと判断されなかった場合は、ステップＳ３１１に進む。
【０１３６】
ステップＳ３１１では、原稿モードが選択されたか否かが判断される。
ステップＳ３１１において、原稿モードが選択されたと判断された場合は、ステップＳ３３１に進む。一方、ステップＳ３１１において、原稿モードが選択されていないと判断された場合は、自動原稿種別判別処理が実行されて（ステップＳ３１３）、ステップＳ３３１に進む。
【０１３７】
ステップＳ３３１では、原稿モードや原稿種別の設定に対応したパラメータが設定される。そして、原稿読み取りが実行され（ステップＳ３３３）、読み取られた原稿画像の画像処理が実行されて（ステップＳ３３５）、原稿種別に応じた最適な設定による画像が出力される（ステップＳ３３７）。このようにして原稿種別を応じた画像処理が実行される。
【０１３８】
このようにして、画像処理装置において、ユーザが画像調整を行なう際に、設定上限（または、設定下限）に近い設定が選択される頻度が高いときには、パラメータが残っている場合は、表示する目盛の一目盛（一単位）に相当する変化量（変化の幅）を変更して、設定項目に外側のパラメータを割り当てるようにすることで、パラメータを大きく変化させて設定を行なうことが可能になる。
【０１３９】
以上のように構成したので、第３実施形態によれば、画像処理装置の構成として、第２実施形態によればと同様に、画像処理部３１と、パラメータ設定部３４と、記憶部３５と、制御部３９とを備え、さらに、パラメータ表示部３６を備え、ユーザにより画像処理パラメータが設定された履歴に基づいて、設定限界付近を設定する頻度が多い場合には、パラメータ表示部３６により、設定限界付近の設定の表示する目盛の一目盛に相当する変化量を変更することで、パラメータを大きく変化させて設定を行なうことが可能になり、ユーザの意図に沿った画像処理を行うことができるので、ユーザに所望する色再現を提供できる。
【０１４０】
（第４実施形態）
次に、第４実施形態について図面を参照して説明する。
なお、説明の便宜上、第１実施形態、第２実施形態と同一の機能を有する構成には、同一の番号を付して説明を省略する。
【０１４１】
図１４は第４実施形態に係る画像処理装置の特徴的な構成を示すブロック図、図１５（ａ）から（ｄ）は前記画像処理装置においてユーザの設定変更の履歴に基づき画像調整のパラメータの設定画面を変更する一例を示す説明図である。
【０１４２】
（画像処理装置の特徴的な構成）
第４実施形態に係る画像処理装置４３０は、図１４に示すように、画像処理部３１と、特徴量抽出部３２と、原稿種別判定部３３と、パラメータ設定部３４と、記憶部３５と、制御部３９とを備え、さらに、パラメータ表示部３６を備えることを特徴としている。
【０１４３】
記憶部３５には、制御プログラム３５１、履歴記憶部３５２に加えて、パラメータ記憶部３５３が設けられている。
【０１４４】
ユーザが画像を出力する際に、画像調整を行なう際に、第１実施形態と同様に、図１５（ｂ）に示すように、ユーザが画像調整で画像の明度を上げる処理を選択する頻度が多い場合は、図１５（ｃ）に示すように、原稿種別判定部３３において、網点と判定した画素をプリント原稿と判断するように判定処理の設定を変更する。
【０１４５】
すでに網点と判定した画素はプリント原稿という設定になっている場合、すなわち、網点と判定した画素の判定処理の設定を変更しない場合は、第２実施形態と同様に、図１５（ｄ）に示すように、画像調整の設定可能範囲を変更する。
【０１４６】
また、ユーザが画像調整で画像の明度を下げる処理を選択する頻度が多い場合は、第１実施形態と同様に、網点と判定した画素は印刷原稿と判断するように判定処理の設定を変更する。
【０１４７】
すでに網点と判定した画素が印刷原稿という設定になっている場合、すなわち、網点と判定した画素の判定処理の設定を変更しない場合は、第２実施形態と同様に画像調整の設定可能範囲を変更する。
【０１４８】
それ以外の処理については、第１実施形態、第２実施形態における画像処理と同様に行う。
【０１４９】
（画像処理装置による原稿種別に応じた画像処理）
次に、第４実施形態に係る画像処理装置４３０において、ユーザによる画像調整の履歴に基づいて原稿種別を判定する場合の処理についてフローチャートに沿って説明する。
図１６，図１７，図１８は第４実施形態に係る画像処理装置においてユーザによる画像調整の履歴に基づいて原稿種別を判定して、パラメータ設定範囲を変更する処理工程を示すフローチャートである。
【０１５０】
図１６，図１７，図１８に示すように、画像処理装置４３０により読み取り原稿の画像処理が開始されると、ユーザが原稿モードを選択できる状態となる。ここで、ユーザは手動で印刷写真や印画紙写真などの原稿モードを選択することもできるし、特定の原稿モードを選択せず、自動原稿判別処理により自動的な選択処理に任せることもでき（ステップＳ４０１）。そして、ユーザにより画像調整の初期設定値から設定が変更されると（ステップＳ４０３）、画像調整の変更を行なった履歴が保存される（ステップＳ４０５）。
【０１５１】
そして、網点領域が印刷原稿の設定であるか否かが判断される（ステップＳ４０７）。ステップＳ４０７において、網点領域を印刷原稿と判断する状態である場合は、ステップＳ４０９に進み、保存された履歴において明度を上げる頻度が高いか否かが判断される。
【０１５２】
ステップＳ４０９において、保存された履歴において明度を上げる頻度が高いと判断された場合は、網点領域をプリント原稿と判断するように変更されて（ステップＳ４１１）、ステップＳ４３１に進む。また、保存された履歴において明度を上げる頻度が高いと判断されなかった場合は、ステップＳ４１３に進む。
【０１５３】
ステップＳ４１３では、パラメータの設定範囲の上限付近に設定される頻度が高いか否かが判断される。ステップＳ４１３において、パラメータの設定範囲の上限付近に設定される頻度が高いと判断された場合は、ステップＳ４１５に進み、設定上限より外側にパラメータが残っているか否かが判断される。設定上限より外側にパラメータが残っていると判断された場合は、パラメータの設定範囲を拡大して（ステップＳ４１７）、ステップＳ４０３に戻る。一方、設定上限より外側にパラメータが残っていないと判断された場合は、ステップＳ４３１に進む。
【０１５４】
一方、ステップＳ４０７において、網点領域を印刷原稿と判断しない状態である場合は、ステップＳ４２１に進む。
【０１５５】
ステップＳ４２１では、保存された履歴において明度を下げる頻度が高いか否かが判断される。ステップＳ４２１において、保存された履歴において明度を下げる頻度が高いと判断された場合は、網点領域を印刷原稿と判断するように変更されて（ステップＳ４２３）、ステップＳ４３１に進む。また、保存された履歴において明度を下げる頻度が高いと判断されなかった場合は、ステップＳ４２５に進む。
【０１５６】
ステップＳ４２５では、パラメータの設定範囲の下限付近に設定される頻度が高いか否かが判断される。ステップＳ４２５において、パラメータの設定範囲の下限付近に設定される頻度が高いと判断された場合は、ステップＳ４２７に進み、設定下限より外側にパラメータが残っているか否かが判断される。設定下限より外側にパラメータが残っていると判断された場合は、パラメータの設定範囲を拡大して（ステップＳ４２９）、ステップＳ４０３に戻る。一方、設定下限より外側にパラメータが残っていないと判断された場合は、ステップＳ４３１に進む。
【０１５７】
ステップＳ４３１では、原稿モードの選択が行なわれたか否かが判断される。
ステップＳ４３１において、原稿モードの選択が行なわれたと判断された場合は、原稿モードや原稿種別の設定に対応したパラメータが設定される（ステップＳ４３５）。そして、原稿読み取りが実行され（ステップＳ４３７）、読み取られた原稿画像の画像処理が実行されて（ステップＳ４３９）、原稿種別に応じた最適な設定による画像が出力される（ステップＳ４４１）。
【０１５８】
一方、ステップＳ４３１において、原稿モードの選択が行なわれていないと判断された場合は、原稿種別判定処理が行なわれて（ステップＳ４３３）、ステップＳ４３５に進み、以下同様に画像処理が実行されて、画像出力が実行される。
このようにして原稿種別を応じた画像処理が実行される。
【０１５９】
以上のように構成したので、第４実施形態によれば、画像処理装置４３０として、画像処理部３１と、特徴量抽出部３２と、原稿種別判定部３３と、パラメータ設定部３４と、パラメータ表示部３６とを備え、記憶部３５に履歴記憶部３５２に加えてパラメータ記憶部３５３を備えることで、原稿種別判定部３３により、ユーザの設定の履歴に基づいて原稿種別の判定処理の判定基準を変更し、画像処理パラメータの表示を初期値のパラメータ設定範囲を超えて表示するようにしたので、ユーザの意図に沿った画像処理を行うことができるので、ユーザに所望する色再現を提供できる。
【０１６０】
なお、上述した実施形態において、画像処理装置の特徴的な構成である原稿種別判定部３３は、網点領域において判定された印刷原稿とプリント原稿とを判定するようにしているが、原稿種別を判定するものとして、例えば、文字情報が主とした原稿、写真情報を主とした原稿、普通紙等の原稿を判定するものであってもよい。
【０１６１】
また、上述した実施形態に係る画像処理装置に展開した本発明は、ハードウェアロジックによって構成してもよいし、次のようにＣＰＵを用いてソフトウェアによって実現してもよい。
【０１６２】
すなわち、画像処理装置は、各機能を実現する制御プログラムの命令を実行するＣＰＵ、前記プログラムを格納したＲＯＭ、上記プログラムを展開するＲＡＭ、上記プログラム及び各種データを格納するメモリ等の記憶装置（記録媒体）などを備えるものであってもよい。
【０１６３】
また、記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１６４】
また、画像処理装置を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。
【０１６５】
また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。
【０１６６】
なお、本発明は、上記プログラムコードが電子的な伝送で具現化された、搬送波に埋め込まれたコンピュータデータ信号の形態でも実現され得る。
【０１６７】
以上のように、本発明は、上述した実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【０１６８】
１，２３０，４３０  画像処理装置
１０  操作パネル
１１  表示部
１１ａ１，２１１ａ１  設定画面
２０  画像入力装置
３０  画像処理装置
３１  画像処理部
３２  特徴量抽出部
３３  原稿種別判定部
３４  パラメータ設定部
３５  記憶部
３６  パラメータ表示部
３９  制御部
４０  画像出力装置
５０  記憶装置
６０  ソフトウェア処理部
７０  通信部
８０  データ入力端末
９０  制御部
３５２  履歴記憶部
３５３  パラメータ記憶部
【図１】
2019125832.tif 000005
【図２】
2019125832.tif 000006
【図３】
2019125832.tif 000007
【図４】
2019125832.tif 000008
【図５】
2019125832.tif 000009
【図６】
2019125832.tif 000010
【図７】
2019125832.tif 000011
【図８】
2019125832.tif 000012
【図９】
2019125832.tif 000013
【図１０】
2019125832.tif 000014
【図１１】
2019125832.tif 000015
【図１２】
2019125832.tif 000016
【図１３】
2019125832.tif 000017
【図１４】
2019125832.tif 000018
【図１５】
2019125832.tif 000019
【図１６】
2019125832.tif 000020
【図１７】
2019125832.tif 000021
【図１８】
2019125832.tif 000022